(57)【要約】  【課題】  棚部に載せてリム洗浄水を旋回させる便器において、このリム洗浄水の水洗便器外への飛び出しを抑えることを目的としており、好ましくは、棚部に覆い被さるオーバーハング部を無くしてもリム洗浄水が外部へ飛び出すことの無い水洗便器を提供する。  【解決手段】  溜水を貯め置く便器ボウル部にボウル部洗浄水を供給して便器洗浄を行う水洗便器であって、このボウル部上縁から溜水部へ至る途中のボウル面内周には、主洗浄棚部が形成されており、また、前記便器ボウル部前端近傍には、前記主洗浄棚部よりも外側に副洗浄棚部が形成されており、前記主洗浄棚部に載って略水平方向に旋回を起こすよう洗浄水を噴出する主ボウル部噴出部が備えられていることを特徴とする。【選択図】  図１
2005098005.tif 000002
【特許請求の範囲】
【請求項１】
溜水を貯め置く便器ボウル部にボウル部洗浄水を供給して便器洗浄を行う水洗便器であって、
このボウル部上縁から溜水部へ至る途中のボウル面内周には、主洗浄棚部が形成されており、
また、少なくとも前記便器ボウル部前端近傍には、前記主洗浄棚部よりも外側に副洗浄棚部が形成されており、
前記主洗浄棚部に載って略水平方向に旋回を起こすよう洗浄水を噴出する主ボウル部噴出部が備えられていることを特徴とする水洗便器。
【請求項２】
前記主ボウル部噴出部は、便器ボウル部側方の後部に設けられており、この主ボウル部噴出部から噴出した洗浄水は、ボウル部前端に至る途中で主洗浄棚部と副洗浄棚部とに分岐するように形成されていることを特徴とする、請求項１記載の水洗便器。
【請求項３】
前記主ボウル部噴出部は、便器ボウル部側方の後部に設けられ、その前方のボウル部上縁から溜水部へ至る途中のボウル面内周には、主洗浄棚部が形成され、またこの主ボウル部噴出部よりもリム上縁側には前記副洗浄棚部が連続して形成されており、この副洗浄棚部に洗浄水を供給する副ボウル部噴出部が備えられていることを特徴とする、請求項１記載の水洗便器。
【請求項４】
前記水洗便器の中心線を挟んで対向する主洗浄棚部には、前記主ボウル部噴出部と同一旋回方向に洗浄水を噴出する第二主ボウル部噴出部が設けられていることを特徴とする、請求項２又は３記載の水洗便器。
【請求項５】
前記水洗便器の中心線を挟んで対向する主洗浄棚部には、前記主ボウル部噴出部と便器ボウル部先端にて合流する方向に洗浄水を噴出する第二主ボウル部噴出部が設けられていることを特徴とする、請求項２又は３記載の水洗便器。
【請求項６】
前記ボウル洗浄水へ気泡を混入する気泡混入手段を備えたことを特徴とする請求項１乃至４何れか一項記載の水洗便器。
【請求項７】
前記水洗便器のボウル部上縁内周は、垂直乃至は外側に広がる形状であることを特徴とする請求項１記載の水洗便器。
【発明の詳細な説明】
【技術分野】
【０００１】
本発明は、水洗便器に係り、特に、ボウル部に洗浄水を旋回するように供給して便器洗浄を行う水洗便器の水飛び出し防止構造に関する。 
【背景技術】
【０００２】
従来の水洗便器として、ボウル部に洗浄水を旋回するように供給して便器洗浄を行う水洗便器が知られている。（例えば、特許文献１参照。）。 
この特許文献１記載の水洗便器を図１８，１９に基づいて説明する。この図１８は便器をその上面をほぼ全域に亘って破断して示す説明図であり、図１９は図１８のＡ−Ａ線，Ｂ−Ｂ線，Ｃ−Ｃ線，Ｄ−Ｄ線の各部でリム部を破断した概略部分断面図である。
図１８に示すように、洗浄水供給孔１４０から供給された洗浄水は、洗浄水給水路１４１を経て、ボウル部１２０底部に設けられたゼット噴出口１２２に連通したゼット給水路１４６と、リム部１２１の左側後部に設けられたリム噴出口１４４と連通したリム給水路１４３とに分岐される。そして、このリム給水路１４３を経てリム噴出口１４４から噴出したリム洗浄水ＲＳは、ボウル部１２０のリム部１２１近傍に沿って周回形成されている棚部１５０の上面を流れて、ボウル部１２０を旋回して洗浄水する。なお、セット噴出口１２２から噴出したゼット洗浄水によりサイホン作用を発生させ、ボウル部１２０内の汚物が溜水と共に排出される。
棚部１５０は図１９に示すように略水平な面によって構成されており、また、棚部１５０に覆い被さるようにオーバーハング部１５２が形成されており、棚部を勢い良く旋回するリム洗浄水ＲＳが便器外へ飛び出すことを防いでいる。
【０００３】
【特許文献１】特開２００１−２７９７９１号公報
【発明の開示】
【発明が解決しようとする課題】
【０００４】
特許文献１記載の水洗便器においては、従来の便器に比べ、リム部の清掃性が格段に優れたものを提供できているが、水飛び防止のために設けたオーバーハング部１５２があるため棚部１５０を旋回するリム洗浄水ＲＳが外部へ飛び出すことが無い反面、このオーバーハング部１５２の裏側（ボウル部１２０と対向する側の面）に汚れが付着した場合に、立ち位置によっては、見えにくく、その部分の掃除が不十分となる恐れがあった。
そのため、本発明は、上記問題を解決するためになされたもので、本発明の課題は、棚部に載せてリム洗浄水を旋回させる便器において、このリム洗浄水の水洗便器外への飛び出しを抑えることを目的としており、好ましくは、棚部に覆い被さるオーバーハング部を無くしてもリム洗浄水が外部へ飛び出すことの無い水洗便器を提供することを目的とする。
【課題を解決するための手段】
【０００５】
上記目的を達成するために請求項１記載の水洗便器においては、溜水を貯め置く便器ボウル部にボウル部洗浄水を供給して便器洗浄を行う水洗便器であって、このボウル部上縁から溜水部へ至る途中のボウル面内周には、主洗浄棚部が形成されており、また、少なくとも前記便器ボウル部前端近傍には、前記主洗浄棚部よりも外側に副洗浄棚部が形成されており、前記主洗浄棚部に載って略水平方向に旋回を起こすよう洗浄水を噴出する主ボウル部噴出部が備えられていることを特徴とする。
【０００６】
従って、洗浄水がボウル部内周に設けられた主洗浄棚部及び副洗浄棚部に載って水平方向に旋回するため、ボウル部洗浄水経路がボウル部に連続した面で形成されることになり、清掃性に優れる。
そして、主洗浄棚部に沿って水平方向に旋回する経路の内、最も曲率が小さいので遠心力により洗浄水が飛び出し易い便器ボウル部前端位置においては、外周に副洗浄棚部が形成されているため、たとえ洗浄水が主洗浄棚の外側に遠心力によって飛び出したとしても、副洗浄棚により受けることができるため、洗浄水がボウル部上縁から飛び出すことを抑えられる。
【０００７】
また、前記主ボウル部噴出部は、便器ボウル部側方の後部に設けられており、この主ボウル部噴出部から噴出した洗浄水は、ボウル部前端に至る途中で主洗浄棚部と副洗浄棚部とに分岐するように形成されているものとすれば、ボウル部側方の後部から噴出した洗浄水は、楕円であるボウル面の曲率が大きく変化するボウル部先端の手前で主洗浄棚とその外側に構成されている副洗浄棚に分岐し、その際、主洗浄棚側に洗浄水の多くが分配されるため、比較的多量の勢いのある洗浄水によって強力にボウル部を洗浄することができ、また、副洗浄棚部へ供給された主ボウル部噴出部からの比較的少量の洗浄水によって、水飛び出しを起こすこと無く副洗浄棚部を洗浄することが可能となる。
【０００８】
また、前記主ボウル部噴出部は、便器ボウル部側方の後部に設けられ、その前方のボウル部上縁から溜水部へ至る途中のボウル面内周には、主洗浄棚部が形成され、またこの主ボウル部噴出部よりもリム上縁側には前記副洗浄棚部が連続して形成されており、この副洗浄棚部に洗浄水を供給する副ボウル部噴出部が備えられているものとすれば、水はねが発生し易い便器ボウル先端の曲率が小さな部分には、副洗浄棚が構成され、主洗浄棚はその下部に曲率変化が小さくする様に構成されているため、ボウル部側方の後部から噴出する主ボウル洗浄水と副ボウル洗浄水の水勢の内、主ボウル洗浄水の方を強く設定し、ボウル部の周回洗浄性及び、溜水の旋付与力を確保させ、また、同時に、副ボウル洗浄水は、ボウル部先端に構成された副洗浄棚上をボウル面の外に飛び出さない様な水勢で周回する様に設定することで、溜水の強い旋回・汚れやすい喫水面付近の強い洗浄力の確保と、ボウル面先端付近からの水の飛び出しを抑制しながらのボウル洗浄を行うことができる。この時、主ボウル部噴出部と副ボウル部噴出部とから規定の配分に基づいて洗浄水が噴出できるため、主・副洗浄棚夫々に適当な水量の洗浄水を供給することが容易にできる。
【０００９】
また、前記水洗便器の中心線を挟んで対向する主洗浄棚部には、前記主ボウル部噴出部と同一旋回方向に洗浄水を噴出する第二主ボウル噴出部が設けられているものとすれば、便器後部を含めたリム全周へ短時間にボウル部洗浄水を供給することができ、ボウル部の不洗部を無くすことができる。
【００１０】
なお、前記水洗便器の中心線を挟んで対向する主洗浄棚部には、前記主ボウル部噴出部と便器ボウル部先端にて合流する方向に洗浄水を噴出する第二主ボウル噴出部が設けられているものとすれば、ボウル部前端に多量のボウル部洗浄水を供給することができ、水洗便器の排出口への汚物搬送主流（叩き込み）を作り出すことができ、便器洗浄性能が向上する。
【００１１】
また、前記ボウル洗浄水へ気泡を混入する気泡混入手段を備えたものとすれば、気泡混入により棚部との接触に伴う水はねを防止でき、結果として水の飛び出しを防ぐことができる。
【００１２】
また、前記水洗便器のボウル部上縁内周は、垂直乃至は外側に広がる形状であるものとすれば、ボウル部上縁内周は、垂直乃至は外側に広がる形状であるため、上方から棚部を含めボウル部全体を目視、清掃可能であり、より清掃性に優れる。
【発明の効果】
【００１３】
便器のリム部のオーバーハングをなくして、清掃性を向上させることができるとともに、リム洗浄水が便器外へ飛び出すことがない便器を提供できる。
【発明を実施するための最良の形態】
【００１４】
以下に本発明の実施の形態を添付図面に基づいて説明する。
図１は本発明の第一の実施形態に係わる水洗便器の平面図、図２は同水洗便器の断面図、図３はボウル部への導水路を透視した図、図４は図３のＡ−Ａ，Ｂ−Ｂにおける断面図、図５は図３におけるリム洗浄水の流れを示した図である。
【００１５】
この水洗便器Ａは陶器製であり、排泄物受け面であるボウル部１と、このボウル部１の開口縁を形成するリム部２と、ボウル部１の後方に設けられたタンク部３とから構成されており、この図１においては、タンク部３がリム部２と連続して一体的に成形されたいわゆるワンピース型の水洗便器である。
【００１６】
ボウル部１とリム部２との間には主洗浄棚部１ａと副洗浄棚部１ｂとが形成されている。この２つの棚部１ａ，１ｂは、ボウル部１の上方のリム部２に近い位置に形成された床面と平行に近い面であり、本発明においては、その面の傾斜角度である、リム部２からボウル部１へ向う面の接線が床面と水平な面と成す角度が、０度〜１５度の範囲である面を棚部１ａ，１ｂとして定義する。
【００１７】
そして、図２に示すように、主洗浄棚部１ａと副洗浄棚部１ｂとの間は主洗浄縦面１ｃによって繋がれおり、副洗浄棚部１ｂとリム部２とは副洗浄縦面１ｄにて繋がれている。具体的にいうと、ボウル部１断面において、その内側から外側（リム部２側）に向って、手前に形成されている水平な面と成す角度が０度〜１５度の範囲の面が主洗浄棚部１ａであり、この主洗浄棚部１ａと連続した面であって水平面と成す角度が１５度を超えている面が主洗浄縦面１ｃであり、この主洗浄縦面１ｃと連続した面であって水平な面と成す角度が０度〜１５度の範囲の面が副洗浄棚部１ｂであり、この副洗浄棚部１ｂと連続した面であって、水平面と成す角度が１５度を超えてリム部２に繋がる面が副洗浄縦面１ｄである。
【００１８】
便器洗浄時には、使用者が排水レバー５を回動することにより排水弁６が上方に移動し、タンク部３に貯められた洗浄水が洗浄水導水路７へ流れ込む。この洗浄水導水路７へ流れ込んだ洗浄水がリム導水路８とゼット導水路９とに分流し、リム導水路８に流れ込んだリム洗浄水Ｗは図５に示すように主ボウル部噴出部（リム吐水口）１０から棚部１ａ，１ｂの上面に向けて噴出される。一方、ゼット導水路９に流れ込んだゼット洗浄水Ｗｚは、ゼット吐水口１１から溜水１２中に噴出され、溜水１２をトラップ部１３へ向けて押し出してサイホン作用を発生させ、汚物を排出させる。
なお、トラップ部１３と床面に設けられた排水管（図示せず）とは、水洗便器Ａとは別に形成された樹脂製の排水ソケット１４にて連結されており、この排水ソケット１４の流路内部には、サイホン作用の発生を促進させるために流路が屈曲形成されている。
【００１９】
次に、ボウル部１の洗浄について図３〜図５に基づいて説明する。
ボウル部１へ向けて洗浄水を噴出する主ボウル部噴出部１０は、副洗浄棚部１ｂとその底部を共通して構成されている（図４（Ａ）参照）。そして、主ボウル部噴出部１０から噴出したリム洗浄水Wは副洗浄棚部１ｂに載って噴出されるが、主ボウル部噴出部１０の近傍において、この副洗浄棚部１ｂの棚幅は狭く構成されている。即ち、図４（Ｂ）に示すように、副洗浄棚部１ｂと主洗浄縦面１ｃとを曲率の大きな面で繋ぐことにより、水平面と成す角度が１５度以下となる副洗浄棚部１ｂの幅は狭く構成されている。
従って、主ボウル部噴出部１０から噴出されたリム洗浄水Ｗの大部分は主洗浄棚面１ａへと流れ落ちる。そのため、リム洗浄水Ｗから分岐した大流量の主洗浄棚部洗浄水Ｗａが主洗浄棚部１ａを旋回して、その大流量の主洗浄棚部洗浄水Ｗａにて強力にボウル部１を洗浄する。
【００２０】
一方、副洗浄棚部洗浄水Ｗｂは小流量であり、しかも、副洗浄棚部１ｂは前方にて幅広に形成されているため、この副洗浄棚部洗浄水Ｗｂによる副洗浄棚部１ｂにおける流れは弱く、棚部に広く分散する。従って、副洗浄縦面１ｄが略垂直に立ち上がるのみであって折り返し部等がなくても、副洗浄棚部洗浄水Ｗｂがリム部２から飛び出して水洗便器Ａの外側を濡らすことが無い。
なお、主洗浄棚部洗浄水Ｗａは流量が大きいので、主洗浄縦面１ｃを越えてしまうこともあるが、そこには副洗浄棚部１ｂが存在しており、水洗便器Ａの外側への飛び出しは発生しない。
【００２１】
そして、水洗便器Ａのボウル部上縁を形成するリム部２と副洗浄棚部１ｂとを繋ぐ副洗浄縦面１ｄは、垂直乃至は外側に広がる形状である。また、副洗浄棚部１ｂと主洗浄棚部１ａとを繋ぐ主洗浄縦面１ｃも垂直乃至は外側に広がる形状である。そのため、ボウル部１の内面は、ボウル部１上方から死角となる部分が無くなる。そのため、ボウル部１からリム部２に至る水洗便器Ａ内面の掃除は非常に簡単となる。
【００２２】
図６は本発明の第二の実施形態に係わる水洗便器のボウル部への導水路を透視した図であり、図７はそのＣ-Ｃにおける断面図である。この水洗便器Ｂにおいては、リム導水路８の出口部に分配仕切２０が設けられており、その出口部が主ボウル部噴出部１０ａと副ボウル部噴出部１０ｂとに別れている。図８は図６におけるリム洗浄水の噴出状態を示す図である。
【００２３】
この主ボウル部噴出部１０ａは主洗浄棚部１ａにリム洗浄水Ｗを噴出するものであり、副ボウル部噴出部１０ｂは副洗浄棚部１ｂにリム洗浄水Ｗを噴出するものである。
具体的には、図８に示すように、リム導水路８から供給されたボウル洗浄水Ｗは、分配仕切２０によって主棚部洗浄水Ｗａと副棚部洗浄水Ｗｂとに分配される。なお、主棚部洗浄水Ｗａと副棚部洗浄水Ｗｂとの分配比率は６：４〜８：２程度となるように分配仕切２０による開口比率が設定されている。
従って、上述した水洗便器Ａのように、副洗浄棚部１ｂの棚幅が狭い部分を設けていなくても、主副ボウル部噴出部１０ａ及び副ボウル部噴出部１０ｂの開口は、それぞれ主洗浄棚部１ａ及び副洗浄棚部１ｂに向いているため、吐出した洗浄水は、それぞれの棚部に載るように出来るため、開口比率を大きくした主ボウル部噴出部から主洗浄棚部１ａに多くの洗浄水を供給することができ、また、水洗便器Ａと同様に、リム部２に折り返し部等がなくても水飛びの発生を防止することができる。
【００２４】
次に、本発明の第三の実施形態について図９〜図１１に基づいて説明する。図９は第三の実施形態に係わる水洗便器のボウル部への導水路を透視した図であり、図１０はそのＤ-Ｄにおける断面図であり、図１１はリム洗浄水の噴出状態を示す図である。
この水洗便器Ｃにおいては図９，１０に示すように、リム導水路８の底部に洗浄水分岐口３０が開口しており、この洗浄水分岐口３０は、便器Cの陶器内を経由して、主洗浄棚部１ａに設けられた主ボウル部噴出部１０ａと連通している。また、副ボウル部噴出部１０ｂが副洗浄棚部１ｂに対して開口している。
【００２５】
この構成において、リム導水路８から供給されたリム洗浄水Ｗは、この洗浄水分岐口３０から下方（図１１における溜水側）に落ちた洗浄水が主洗浄棚部１ａに設けられた主ボウル部噴出部１０ａから主洗浄棚洗浄水Ｗａとして噴出され、残りが副ボウル部噴出部１０ｂから副洗浄棚洗浄水Ｗｂとして噴出される。なお、主棚部洗浄水Ｗａと副棚部洗浄水Ｗｂとの分配比率は６：４〜８：２程度となるように洗浄水分岐口３０の開口面積が設定されている。
従って、上述した水洗便器Ａのように、副洗浄棚部１ｂの棚幅が狭い部分を設けていなくても、上記開口面積に設定された洗浄分岐口３０から流下した洗浄水が、便器Cの陶器内を経由して主洗浄棚部に吐水されるので、主洗浄棚部に多くの洗浄水を供給することができ、また、水洗便器Ａと同様に、リム部２に折り返し部等がなくても水飛びの発生を防止することができる。
【００２６】
次に、本発明の第四の実施形態について図１２，１３に基づいて説明する。図１２は第四の実施形態に係わる水洗便器のボウル部への導水路を透視した図であり、図１３はリム洗浄水の噴出状態を示す図である。
この水洗便器Ｄにおいては図１２に示すように、水洗便器の前後方向に中心線を挟んでリム導水路８は左右（図１２における上下）に分岐しており、その一方のリム導水路８ａと連通した主ボウル部噴出部１０はボウル部１の側方後部の副洗浄棚部１ｂに開口しており、もう一方のリム導水路８ｂと連通した第二主ボウル部噴出部４０は、リム導水路８の先端がＵターンして形成されている。
【００２７】
この構成において、リム導水路８ａから供給されたリム洗浄水Ｗは、上述した水洗便器Ａと同じように副洗浄棚部１ｂの棚幅が狭いことから大部分が主洗浄棚部１ａへ流れ落ちて大流量の主洗浄棚部洗浄水Ｗａを形成し、残りが小流量の副洗浄棚洗浄水Ｗｂとなる。また、もう一方のリム導水路８ｂから噴出されたリム洗浄水Ｗ２は、第二主ボウル部噴出部４０から主ボウル部噴出部１０と同一旋回方向に副洗浄棚部１ｂに洗浄水を噴出して、ボウル部１の後方を洗浄可能に構成されている。なお、この第二主ボウル部噴出部４０から噴出されたリム洗浄水Ｗ２は、副洗浄棚部１ｂの棚幅が狭く形成されていることから、やはり大部分が主洗浄棚部１ａに流れ落ちるものである。
【００２８】
従って、上述した水洗便器Ａのように、副洗浄棚部１ｂの棚幅が狭い部分を設けていることによって、主洗浄棚部１ａに多くの洗浄水を供給することができ、水洗便器の前後方向に中心線を挟んで対向する主洗浄棚部それぞれに洗浄水が同一方向に旋回しながら洗浄を行なうことができる。また、水洗便器Ａと同様に、リム部２に折り返し部等がなくても水飛びの発生を防止することができる。
しかも、第２主ボウル部噴出部４０を設けているため、主ボウル部噴出部１０からの噴出水勢（流速）を弱くすることができ、最も曲率が小さい水洗便器Ｄの前方（図１２における右側）における水飛びの発生を抑えることができる。
【００２９】
次に、本発明の第五の実施形態について図１４に基づいて説明する。図１４は第五の実施形態に係わる水洗便器のボウル部への導水路を透視した図である。
この水洗便器Ｅにおいては図１４に示すように、水洗便器の前後方向に中心線を挟んでリム導水路８は左右（図１４における上下）に分岐しており、その一方のリム導水路８ａと連通した主ボウル部噴出部１０はボウル部１の側方後部の副洗浄棚部１ｂに開口しており、上述した水洗便器Ｂと同じように副洗浄棚部１ｂに設けられた分配仕切２０によって、大流量の主洗浄棚部洗浄水Ｗａを噴出する主ボウル部噴出部１０ａと、小流量の副洗浄棚部洗浄水Ｗｂを噴出する副ボウル部噴出部１０ｂを形成している。なお、もう一方のリム導水路８ｂと連通した第２ボウル部噴出部４０は、リム導水路８の先端がＵターンして形成されている。
【００３０】
従って、上述した水洗便器Ｂのように、分配仕切２０によって、主洗浄棚部１ａに多くの洗浄水を供給することができ、水洗便器の前後方向に中心線を挟んで対向する主洗浄棚部それぞれに洗浄水が同一方向に旋回しながら洗浄を行なうことができる。また、水洗便器Ｂと同様に、リム部２に折り返し部等がなくても水飛びの発生を防止することができる。
しかも、第二主ボウル部噴出部４０を設けているため、水洗便器Ｄと同様に、最も曲率が小さい水洗便器Ｄの前方（図１４における右側）における水飛びの発生を抑えることができる。尚、第二主ボウル部噴出部４０の洗浄水噴出方向にある副洗浄棚１ｂの幅を、前記第四の実施形態同様に狭くして主洗浄棚部１ａに大部分の洗浄水を流れ落ちるようにしているが、本実施形態のように分配仕切を設けても同様の効果が得られる。
【００３１】
次に、本発明の第六の実施形態について図１５に基づいて説明する。図１５は第六の実施形態に係わる水洗便器のボウル部への導水路を透視した図である。
この水洗便器Ｆにおいては図１５に示すように、水洗便器の前後方向に中心線を挟んでリム導水路８は左右（図１５における上下）に分岐しており、その一方のリム導水路８ａには、上述した水洗便器Ｃと同じように洗浄水分岐口３０が設けられており、大流量の主洗浄棚部洗浄水Ｗａを噴出する主ボウル部噴出部１０ａと、小流量の副洗浄棚洗浄水Ｗｂを噴出する副ボウル部噴出部１０ｂを形成している。なお、もう一方のリム導水路８ｂと連通した第二ボウル部噴出部４０は、リム導水路８の先端がＵターンして形成されている。
【００３２】
従って、上述した水洗便器Ｃのように、洗浄水分岐口３０によって、主洗浄棚部１ａに多くの洗浄水を供給することができ、水洗便器Ｃと同様に、リム部２に折り返し部等がなくても水飛びの発生を防止することができる。
しかも、第２主ボウル部噴出部４０を設けているため、水洗便器Ｄと同様に、最も曲率が小さい水洗便器Ｄの前方（図１５における右側）における水飛びの発生を抑えることができる。尚、第二ボウル部噴出部４０の洗浄水噴出方向にある副洗浄棚１ｂの幅を、前記第四の実施形態同様に狭くして主洗浄棚部１ａに大部分の洗浄水を流れ落ちるようにしているが、本実施形態のように分配仕切を設けても同様の効果が得られる。
【００３３】
次に、本発明の第七の実施形態について図１６，１７に基づいて説明する。図１６は第七の実施形態に係わる水洗便器のボウル部への導水路を透視した図であり、図１７はリム洗浄水の噴出状態を示す図である。
この水洗便器Ｇにおいては図１６に示すように、水洗便器の前後方向に中心線を挟んでリム導水路８は左右（図１６における上下）に分岐しており、その一方のリム導水路８ａの底面には、上述した水洗便器Ｃと同じように洗浄水分岐口３０ａが設けられており、大流量の主洗浄棚部洗浄水Ｗａを噴出する主ボウル部噴出部１０ａと、小流量の副洗浄棚洗浄水Ｗｂを噴出する副ボウル部噴出部１０ｂを形成している。なお、もう一方のリム導水路８ｂの底面にも洗浄水分岐口３０ｂが設けられており、主洗浄棚部１ａには第二主ボウル部噴出部４０ａが形成されている。
【００３４】
上記構成において、主ボウル部噴出部１０ａから噴出した主洗浄棚部洗浄水Ｗａと、第二主ボウル部噴出部４０ａから噴出された第２主棚部洗浄水Ｗ２ａとは、水洗便器Ｇの先端側（図１７における右側）にて合流し、溜水１２へ向う流れＷｊを形成する。この流れによってトラップ１３に向けた流れＷｊを作り出すことができ、サイホン発生を促進することになるため便器の汚物搬送性能が向上する。また、副洗浄棚部１ｂがあることにより、主洗浄棚部１ａに多くの洗浄水を供給した場合でも、リム部２に折り返し部等がなくても水飛びの発生を防止することができる。
【００３５】
前記第七の実施形態では、水洗便器Cのような洗浄水分岐口を利用して主洗浄棚部へ多くに洗浄水を供給するようにしたが、水洗便器Aのような副洗浄棚部の幅を狭くする手段、または、水洗便器Bのように分配仕切を利用する手段を用いて主洗浄棚部へ多くの洗浄水を供給するようにしても良い。
【００３６】
なお、上記した実施形態において、リム吐水口の空気混入可能なエジェクタノズルを設け、リム洗浄水Ｗｒを気泡混入水とすることができる。そうすれば、洗浄水の飛散をより一層効果的に抑えることができる。
また、リム吐水口へのリム洗浄水供給源としてはリムと一体に形成されたタンクから供給される実施形態以外にも、リムと別体に形成されたタンクから供給させることもでき、その場合、タンクはリム部に載置されている必要はなく、トイレ室の隅部に固定されていても良い。
更には、リム吐水口への洗浄水供給源としては、水道配管に直接繋がれた配管から供給する直圧式であってもよく、その場合には、減圧弁や定流量弁によって所定流量に調整されて供給させる必要がある。
また、副洗浄棚部はボウル部全周の亘って設けられている必要はなく、曲率が小さく、主洗浄棚部からの洗浄水の水飛び発生の確率が高いボウル部の先端近傍のみ、または、ボウル部の前側半周のみに設けてもよい。
【図面の簡単な説明】
【００３７】
【図１】本発明の第一の実施形態に係わる水洗便器の平面図。
【図２】図１の水洗便器の断面図。
【図３】図１の水洗便器のボウル部への導水路を透視した図。
【図４】図３のＡ−Ａ，Ｂ−Ｂにおける断面図。
【図５】図３におけるリム洗浄水の流れを示した図。
【図６】第二の実施形態に係わる水洗便器のボウル部への導水路を透視した図。
【図７】図６のＣ-Ｃにおける断面図。
【図８】図６におけるリム洗浄水の流れを示した図。
【図９】第三の実施形態に係わる水洗便器のボウル部への導水路を透視した図。
【図１０】図９のＤ-Ｄにおける断面図
【図１１】図９におけるリム洗浄水の流れを示した図。
【図１２】第四の実施形態に係わる水洗便器のボウル部への導水路を透視した図。
【図１３】図１２におけるリム洗浄水の流れを示した図
【図１４】第五の実施形態に係わる水洗便器のボウル部への導水路を透視した図。
【図１５】第六の実施形態に係わる水洗便器のボウル部への導水路を透視した図。
【図１６】第七の実施形態に係わる水洗便器のボウル部への導水路を透視した図。
【図１７】図１６におけるリム洗浄水の流れを示した図。
【図１８】従来の便器をその上面をほぼ全域に亘って破断して示す説明図。
【図１９】図１８のＡ−Ａ線，Ｂ−Ｂ線，Ｃ−Ｃ線，Ｄ−Ｄ線の各線でリム部を破断した概略部分断面。
【符号の説明】
【００３８】
Ａ，Ｂ，Ｃ，Ｄ，Ｅ，Ｆ，Ｇ…水洗便器
１…ボウル部
１ａ…主洗浄棚部
１ｂ…副洗浄棚部
２…リム部
３…タンク部
５…排水レバー
６…排水弁
７…洗浄水導水路
８…リム導水路
９…ゼット導水路
１０…主ボウル部噴出部
１０ａ…主ボウル部噴出部
１０ｂ…副ボウル部噴出部
１１…ゼット吐水口
１２…溜水
１３…トラップ部
１４…排水ソケット
２０…分配仕切
３０…洗浄水分岐口
４０…第二主ボウル部噴出部
【図１】
2005098005.tif 000003
【図２】
2005098005.tif 000004
【図３】
2005098005.tif 000005
【図４】
2005098005.tif 000006
【図５】
2005098005.tif 000007
【図６】
2005098005.tif 000008
【図７】
2005098005.tif 000009
【図８】
2005098005.tif 000010
【図９】
2005098005.tif 000011
【図１０】
2005098005.tif 000012
【図１１】
2005098005.tif 000013
【図１２】
2005098005.tif 000014
【図１３】
2005098005.tif 000015
【図１４】
2005098005.tif 000016
【図１５】
2005098005.tif 000017
【図１６】
2005098005.tif 000018
【図１７】
2005098005.tif 000019
【図１８】
2005098005.tif 000020
【図１９】
2005098005.tif 000021